(57)【要約】【課題】相手側接続部の合わせ面の間の隙間から電線接続部内に水が浸入することを抑制できる端子を提供する。【解決手段】  本明細書によって開示される端子１０は、一端及び他端が開口する円筒状のパイプ部材１０Ａから形成される端子１０であって、前記パイプ部材１０Ａの前記一端側は、電線の芯線に接続される電線接続部１６とされ、前記パイプ部材１０Ａの前記他端側は、板状に押し潰された形状をなし、相手側機器に接続される相手側接続部１４とされ、前記相手側接続部１４の内面は、互いに対向する一対の合わせ面２４となっており、前記一対の合わせ面２４の間は、接着剤２６により塞がれている。【選択図】図４
2019212480.tif 000002
【特許請求の範囲】
【請求項１】
一端及び他端が開口する円筒状のパイプ部材から形成される端子であって、
前記パイプ部材の前記一端側は、電線の芯線に接続される電線接続部とされ、
前記パイプ部材の前記他端側は、板状に押し潰された形状をなし、相手側機器に接続される相手側接続部とされ、前記相手側接続部の内面は、互いに対向する一対の合わせ面となっており、
前記一対の合わせ面の間は、接着剤により塞がれている端子。
【請求項２】
前記接着剤は、前記一対の合わせ面の全長に亘って設けられている請求項１に記載の端子。
【請求項３】
前記相手側接続部には、前記相手側機器と接続される接続孔が開口して設けられている請求項２に記載の端子。
【発明の詳細な説明】
【技術分野】
【０００１】
本明細書によって開示される技術は、端子に関する。
【背景技術】
【０００２】
従来の端子として、例えば、特開２０１６−１８６７２号公報に記載の端子金具が知られている。この端子金具は、パイプ部材をプレス加工等することで形成されるクローズドバレル形式の端子金具であって、一端が開口する円筒状の導体圧着部と、導体圧着部の他端と、連結部を介して連なる平坦状の接続部と、を備えている。接続部は、パイプ部材の先端をプレス加工等によって押し潰すことで形成されており、略中央部に略正円状の貫通孔が形成されている。
【先行技術文献】
【特許文献】
【０００３】
【特許文献１】特開２０１６−１８６７２号公報
【発明の概要】
【発明が解決しようとする課題】
【０００４】
接続部は、パイプ部材の先端をプレス加工等によって押し潰すことで形成されることから、接続部の先端の合わせ面の間には僅かな隙間が生じることとなり、この隙間から導体圧着部の内部に水が浸入するという問題がある。
【課題を解決するための手段】
【０００５】
本明細書で開示される端子は、一端及び他端が開口する円筒状のパイプ部材から形成される端子であって、前記パイプ部材の前記一端側は、電線の芯線に接続される電線接続部とされ、前記パイプ部材の前記他端側は、板状に押し潰された形状をなし、相手側機器に接続される相手側接続部とされ、前記相手側接続部の内面は、互いに対向する一対の合わせ面となっており、前記一対の合わせ面の間は、接着剤により塞がれている。
【０００６】
一対の合わせ面の間は接着剤により塞がれているため、一対の合わせ面の間から、電線接続部内に水が浸入することを抑制することができる。また、従来は止水性を確保するため、金属材を切削加工して端子を製造する必要があったが、例えば、パイプ部材の他端側の内周面に予め接着剤を塗布しておき、接着剤が乾く前にパイプ部材の他端側をプレス加工して相手側接続部を形成することで、一対の合わせ面の間を接着剤で塞ぐことができ、電線接続部内に水が浸入することを抑制できるため、材料費及び加工費を低減することができる。
【０００７】
また、前記接着剤は、前記一対の合わせ面の全長に亘って設けられている構成としても良い。
【０００８】
接着剤は、一対の合わせ面の全長に亘って設けられているため、より止水性を向上させることができる。
【０００９】
また、前記相手側接続部には、前記相手側機器と接続される接続孔が開口して設けられている構成としても良い。
【００１０】
接続孔を設けることで、相手側接続部を相手側機器にボルトで締結することができる。
【発明の効果】
【００１１】
本明細書に開示される端子によれば、相手側接続部の一対の合わせ面の間から電線接続部内に水が浸入することを抑制できる端子を提供することができる。
【図面の簡単な説明】
【００１２】
【図１】実施形態における端子が収容されたコネクタの斜視図
【図２】端子が収容されたコネクタの平面図
【図３】図２におけるＡ−Ａ断面図
【図４】図３における相手側接続部付近の拡大図
【発明を実施するための形態】
【００１３】
＜実施形態＞
図１から図４を参照して本実施形態を説明する。
本実施形態の端子１０は、前後方向に開口する円筒状のパイプ部材１０Ａをプレス加工することにより形成されるクローズドバレル形式の平タブ端子であって、図１に示すように、３極のコネクタ１２にそれぞれ収容されている。以降の説明では、図１から図４におけるＸ方向を前方、Ｙ方向を左方、Ｚ方向を上方とする。
【００１４】
端子１０は、図３に示すように、前後方向に長い板状をなし、図示しない相手側機器に接続される相手側接続部１４と、相手側接続部１４の後方に設けられ、前後方向に長い円筒状をなす電線接続部１６と、電線接続部１６と相手側接続部１４とを連結する連結部１８と、を備えており、パイプ部材１０Ａの前端側が相手側接続部１４とされ、パイプ部材１０Ａの後端側が電線接続部１６とされる。電線接続部１６は、後方が開口しており、電線２０の被覆の前端部が剥かれて露出した芯線２２は、電線接続部１６の後方の開口から挿通されている。電線接続部１６は、芯線２２が電線接続部１６の後方の開口から挿通された状態で加圧され、電線２０の芯線２２に圧着により接続されている。
【００１５】
相手側接続部１４は、図３に示すように、パイプ部材１０Ａの前端側を板状に押し潰すことで形成されており、相手側接続部１４の内面は、図４に示すように、互いに対向する一対の合わせ面２４となっている。相手側接続部１４の前端部は、図１、図２に示すように、Ｒ状をなしており、これにより、相手側接続部１４の前端部が図示しない相手側機器に接触した際に、相手側機器を傷つけることを抑制している。
【００１６】
一対の合わせ面２４の間は、図３、図４に示すように、接着剤２６によって塞がれている。接着剤２６は、一対の合わせ面２４の全長（即ち、一対の合わせ面２４の前端から後端に亘る範囲）に亘って設けられている。このように、一対の合わせ面２４の間は、接着剤２６により塞がれているため、相手側接続部１４の前端部に水が付着した際に、一対の合わせ面２４の間から電線接続部１６内に水が浸入することが抑制されている。また、接着剤２６は、一対の合わせ面２４の全長に亘って設けられているため、一対の合わせ面２４の一部の区間にのみ設けられている構成と比較して、止水性を向上させることができる。
【００１７】
接着剤２６は、相手側接続部１４が形成される前に、予め、パイプ部材１０Ａの前端側の内周面に塗布され、接着剤２６が乾燥する前に、パイプ部材１０Ａの前端側が押し潰され、相手側接続部１４が形成される。これにより、一対の合わせ面２４同士が接着剤２６により接着され、一対の合わせ面２４の間は、接着剤２６により塞がれることとなる。
【００１８】
相手側接続部１４の板面には、図１、図２に示すように、長孔状の接続孔２８が開口して設けられており、接続孔２８には図示しないボルトが挿通され、相手側接続部１４は、図示しない相手側機器の接続部に締結される。接続孔２８は、一対の合わせ面２４の形成後に、板面を長孔状に打ち抜き加工することで形成される。相手側接続部１４の両側面には、図２に示すように、溝状をなす一対の凹部３０が設けられている。
【００１９】
電線接続部１６の外周面の前端部には、図３に示すように、前後一対のフランジ部３２が周設されており、前後一対のフランジ部３２は、前後方向に所定の間隔を空けて配されている。電線接続部１６の前後一対のフランジ部３２の間には、環状の第１シールリング３４が嵌着されており、第１シールリング３４は、前後一対のフランジ部３２により前後方向の変位が規制されている。また、電線２０には、環状の第２シールリング３６が挿通されている。
【００２０】
連結部１８は、図３に示すように、相手側接続部１４の後端及び電線接続部１６の前端と連なっており、電線接続部１６の前端から相手側接続部１４の後端に向けて傾斜している。
【００２１】
コネクタ１２は、図１に示すように、左右方向に長い長円状をなし、前後方向に延びる本体部３８と、本体部３８の前面から前方に突出し、略円筒状をなす３つの端子収容部４０と、を備えている。３つの端子収容部４０は、左右方向に所定の間隔を空けて、並列して配されている。
【００２２】
本体部３８の後端には、図３に示すように、第１開口部４２が開口しており、第１開口部４２は、３つの端子収容部４０と対応する位置に、３つ設けられている。３つの第１開口部４２は、３つの端子収容部４０の内部空間とそれぞれ連通している。端子１０は、第１開口部４２から、端子収容部４０内に収容される。
【００２３】
本体部３８の第１開口部４２内の内周面の内径は、図３に示すように、前後で異なる径となっており、前側（即ち、端子収容部４０側）の内径は、端子収容部４０の内径と同じ径となっており、後側（即ち、第１開口部４２側）の内径は、端子収容部４０の内径よりも大きい径となっている。これにより、本体部３８の第１開口部４２内の内周面には、段差部４４が生じている。
【００２４】
電線２０に挿通されている第２シールリング３６は、第１開口部４２から本体部３８内に収容され、第２シールリング３６の前面は、図３に示すように、段差部４４に後方から当接している。これにより、第２シールリング３６は前方に抜けることが阻止されている。また、コネクタ１２には、後方からリテーナ４６が装着されており、リテーナ４６は、第２シールリング３６に後方から当接している。これにより、第２シールリング３６が後方に抜けることが阻止されている。第２シールリング３６の外周面は、本体部３８の第１開口部４２内の内周面に弾性的に接触しており、これにより、第１開口部４２から本体部３８内に水が浸入し、電線接続部１６が被水することが抑制されている。
【００２５】
端子収容部４０の前面には、図１に示すように、左右方向に長い長方形状に開口する第２開口部４８が設けられている。端子１０の相手側接続部１４の前端部は、端子収容部４０の第２開口部４８から前方に突出し、外部に露出している。図３に示すように、端子１０の連結部１８の外径は、第２開口部４８の開口径よりも大きい径となっており、連結部１８が第２開口部４８の開口縁に後方から当接可能な状態となっているため、端子１０が端子収容部４０内から前方に抜けることが阻止されている。
【００２６】
端子収容部４０には、図１に示すように、第２開口部４８の開口縁の左右の端部から前方に片持ち状に突出する左右一対のロックアーム５０が設けられており、左右一対のロックアーム５０は、左右方向に弾性変位することが可能となっている。左右一対のロックアーム５０の前端部には、図２に示すように、対向するロックアーム５０に向けて突出する左右一対の凸部５２がそれぞれ設けられている。ロックアーム５０の一対の凸部５２は、端子１０の一対の凹部３０とそれぞれ嵌合しており、端子１０の一対の凹部３０の内壁がロックアーム５０の一対の凸部５２に前方から当接可能な状態となっている。これにより、端子１０が端子収容部４０から後方に抜けることが阻止されている。
【００２７】
端子収容部４０には、図１、図３に示すように、第２開口部４８の開口縁の上下の端部から前方に突出する上下一対の変位規制板５４が設けられている。これにより、端子１０の相手側接続部１４が上方に変位しようとすると、相手側接続部１４の上面が上側の変位規制板５４に下方から当接する。また、相手側接続部１４が下方に変位しようとすると、相手側接続部１４の下面が下側の変位規制板５４に上方から当接する。これにより、変位規制板５４の上下方向の変位が規制されている。
【００２８】
図３に示すように、端子収容部４０の内周面と、端子１０の第１シールリング３４とは弾性的に接触している。これにより、第２開口部４８から端子収容部４０内に水が浸入しても、端子収容部４０内の第１シールリング３４より後方に水が浸入することが抑制されるため、電線２０の芯線２２に被水することが抑制されている。
【００２９】
以上のように本実施形態によれば、一対の合わせ面２４の間は接着剤２６により塞がれているため、一対の合わせ面２４の間から、電線接続部１６内に水が浸入することを抑制することができる。また、従来は止水性を確保するため、金属材を切削加工して端子を製造する必要があったが、例えば、パイプ部材１０Ａの他端側の内周面に予め接着剤２６を塗布しておき、接着剤２６が乾く前にパイプ部材１０Ａの他端側をプレス加工して相手側接続部１４を形成することで、一対の合わせ面２４の間を接着剤２６で塞ぐことができ、電線接続部１６内に水が浸入することを抑制できるため、材料費及び加工費を低減することができる。
【００３０】
また、接着剤２６は、一対の合わせ面２４の全長に亘って設けられているため、より止水性を向上させることができる。
【００３１】
また、接続孔２８を設けることで、相手側接続部１４を相手側機器にボルトで締結することができる。
【００３２】
＜他の実施形態＞
本明細書によって開示される技術は上記記述及び図面によって説明した実施形態に限定されるものではなく、例えば次のような種々の態様も含まれる。
（１）本実施形態では、相手側接続部１４には接続孔２８が開口して設けられている構成としたが、接続孔２８が設けられていない構成とし、例えば、相手側機器の接続部に、相手側接続部１４と弾性的に接触する接触片を設ける構成としても良い。
（２）本実施形態では、接着剤２６を、一対の合わせ面２４の全長に亘って設ける構成としたが、一対の合わせ面２４の一部の区間にのみ設ける構成としても良いし、電線接続部１６内の前端側に接着剤を充填させ、さらに止水性を向上させる構成としても良い。
（３）本実施形態では、端子１０は、３極のコネクタ１２に収容される構成としたが、２極以下のコネクタに収容される構成としても良いし、４極以上のコネクタに収容される構成としても良いし、コネクタ１２に収容せず、端子１０単体で用いる構成としても良い。
【符号の説明】
【００３３】
１０：端子
１０Ａ：パイプ部材
１４：相手側接続部
１６：電線接続部
２０：電線
２２：芯線
２４：合わせ面
２６：接着剤
２８：接続孔
【図１】
2019212480.tif 000003
【図２】
2019212480.tif 000004
【図３】
2019212480.tif 000005
【図４】
2019212480.tif 000006